(57)【要約】【課題】少ない記憶容量でより確実に異常の内容を記憶し、提示することが可能なプロジェクタ等を提供すること。【解決手段】プロジェクタ１００が、測定対象の温度を測定する温度センサー１７０と、前記温度が、少なくとも１つのチェックポイントとなる数値を通過したことを検出する温度通過検出部１６２と、温度通過検出部１６２によって前記チェックポイントとなる数値を前記温度が通過したことが検出された場合に、通過した数値に関するデータと、通過時点に関するデータとを関連付けて温度ログデータ１４２として記憶部１４０に記憶する温度監視部１６０とを含んで構成される。【選択図】図３
2008116810.tif 000002
【特許請求の範囲】
【請求項１】
測定対象の温度を測定する少なくとも１つの温度センサーと、
前記温度が、少なくとも１つのチェックポイントとなる数値を通過したことを検出する温度通過検出部と、
前記温度通過検出部によって前記チェックポイントとなる数値を前記温度が通過したことが検出された場合に、通過した数値に関するデータと、通過時点に関するデータとを関連付けて温度ログデータとして記憶部に記憶する温度監視部と、
を含むことを特徴とするプロジェクタ。
【請求項２】
請求項１に記載のプロジェクタにおいて、
前記温度ログデータに基づき、画像および音の少なくとも一方を用いて前記温度に関する温度ログ情報をユーザーに提示する提示部を含むことを特徴とするプロジェクタ。
【請求項３】
請求項２に記載のプロジェクタにおいて、
前記提示部は、
前記温度ログ情報に関する画像を生成する画像生成部と、
当該画像を投写する投写部と、
を含み、
前記画像生成部は、前記温度ログデータに基づき、詳細ログ画像を生成し、
前記投写部は、前記詳細ログ画像を投写することを特徴とするプロジェクタ。
【請求項４】
請求項１〜３のいずれかに記載のプロジェクタにおいて、
異常発生時に、異常の種類に関するデータと、異常発生時点に関するデータとを関連付けて異常ログデータとして前記記憶部に記憶する異常監視部を含むことを特徴とするプロジェクタ。
【請求項５】
請求項３に従属する請求項４に記載のプロジェクタにおいて、
前記画像生成部は、前記異常ログデータに基づき、前記詳細ログ画像として、前記異常の種類と、前記異常発生時点とを時系列で示す画像を生成することを特徴とするプロジェクタ。
【請求項６】
請求項５に記載のプロジェクタにおいて、
前記画像生成部は、ユーザーの前記異常の種類を指定する操作情報に基づき、前記詳細ログ画像として、指定された種類に該当するデータのみを示す画像を生成することを特徴とするプロジェクタ。
【請求項７】
請求項１〜６のいずれかに記載のプロジェクタにおいて、
異なる測定対象の温度を測定する複数の前記温度センサーを含み、
前記温度監視部は、少なくとも１つの前記温度センサーの前記温度が前記チェックポイントとなる数値を通過した場合に、通過した数値に関するデータと、通過時点に関するデータと、各温度センサーの前記温度に関するデータとを関連付けて前記温度ログデータとして記憶部に記憶することを特徴とするプロジェクタ。
【請求項８】
請求項７に記載のプロジェクタにおいて、
前記測定対象を冷却する複数のファンを含み、
前記温度監視部は、少なくとも１つの前記温度センサーの前記温度が前記チェックポイントとなる数値を通過した場合に、通過した数値に関するデータと、通過時点に関するデータと、各温度センサーの前記温度に関するデータと、各ファンの駆動に関するデータとを関連付けて前記温度ログデータとして記憶部に記憶することを特徴とするプロジェクタ。
【請求項９】
請求項１〜８のいずれかに記載のプロジェクタにおいて、
前記温度ログデータを、表示機能を有する外部装置または携帯型情報記憶媒体に出力する出力部を含むことを特徴とするプロジェクタ。
【請求項１０】
測定対象の温度を測定する少なくとも１つの温度センサーと、記憶部とを有するプロジェクタの有するコンピュータを、
前記温度が、少なくとも１つのチェックポイントとなる数値を通過したことを検出する温度通過検出部と、
前記温度通過検出部によって前記チェックポイントとなる数値を前記温度が通過したことが検出された場合に、通過した数値に関するデータと、通過時点に関するデータとを関連付けて温度ログデータとして前記記憶部に記憶する温度監視部として機能させることを特徴とするプログラム。
【請求項１１】
測定対象の温度を測定する少なくとも１つの温度センサーと、記憶部とを有するプロジェクタの有するコンピュータにより読み取り可能なプログラムを記憶した情報記憶媒体であって、
請求項１０に記載のプログラムを記憶した情報記憶媒体。
【発明の詳細な説明】
【技術分野】
【０００１】
本発明は、異常発生時のログ情報を提示するためのプロジェクタ、プログラムおよび情報記憶媒体に関する。
【背景技術】
【０００２】
従来、プロジェクタは、単体で使用されることが多く、発生する異常の内容も比較的単純なものであったため、異常の種類ごとに発生した異常の件数を数えているだけであった。
【０００３】
例えば、特開平９−６１７７７号公報では、警告モード時に特定キーボタンが押された場合にオンスクリーンディスプレイで警告内容を表示し、強制シャットダウン後の再起動時に強制シャットダウン時の原因をオンスクリーンディスプレイで表示することが記載されている。
【特許文献１】特開平９−６１７７７号公報
【発明の開示】
【発明が解決しようとする課題】
【０００４】
しかし、近年、プロジェクタは、高機能化し、種々の異常が発生するようになり、従来の機能だけでは実用的ではなくなってきている。例えば、発生した異常件数を異常の種類ごとに数える手法では、複数の異常が同時に発生したり、ランプ異常が発生した後に内部異常が発生したりした場合等に異常の原因を特定することは困難であった。
【０００５】
また、例えば、ＰＣ(Personal Computer)等の記憶容量が多く、高機能な装置では、種々の異常を詳細に記憶する機能を有しているものもあるが、プロジェクタのように記憶容量も少なく、低機能な装置では、ＰＣ等と同様の機能を実装することは構成が複雑になり、コスト高になる。
【０００６】
本発明の目的は、少ない記憶容量でより確実に異常の内容を記憶し、提示することが可能なプロジェクタ、プログラムおよび情報記憶媒体を提供することにある。
【課題を解決するための手段】
【０００７】
上記課題を解決するため、本発明に係るプロジェクタは、
測定対象の温度を測定する少なくとも１つの温度センサーと、
前記温度が、少なくとも１つのチェックポイントとなる数値を通過したことを検出する温度通過検出部と、
前記温度通過検出部によって前記チェックポイントとなる数値を前記温度が通過したことが検出された場合に、通過した数値に関するデータと、通過時点に関するデータとを関連付けて温度ログデータとして記憶部に記憶する温度監視部と、
を含むことを特徴とする。
【０００８】
また、本発明に係るプログラムは、
測定対象の温度を測定する少なくとも１つの温度センサーと、記憶部とを有するプロジェクタの有するコンピュータを、
前記温度が、少なくとも１つのチェックポイントとなる数値を通過したことを検出する温度通過検出部と、
前記温度通過検出部によって前記チェックポイントとなる数値を前記温度が通過したことが検出された場合に、通過した数値に関するデータと、通過時点に関するデータとを関連付けて温度ログデータとして前記記憶部に記憶する温度監視部として機能させることを特徴とする。
【０００９】
また、本発明に係る情報記憶媒体は、
測定対象の温度を測定する少なくとも１つの温度センサーと、記憶部とを有するプロジェクタの有するコンピュータにより読み取り可能なプログラムを記憶した情報記憶媒体であって、
上記プログラムを記憶したことを特徴とする。
【００１０】
本発明によれば、プロジェクタ等は、測定対象の温度がチェックポイントとなる数値を通過した場合に、当該数値に関するデータと、通過時点に関するデータを関連付けて記憶することにより、温度の変化を記憶することができる上、チェックポイントを通過した場合のみ記憶することにより、一定時間ごとに温度ログデータを記憶する場合と比べ、少ない記憶容量で確実に記憶することができる。これにより、プロジェクタ等は、少ない記憶容量でより確実に異常の内容を記憶し、提示することが可能となる。なお、前記温度通過検出部は、前記温度が上昇することによって前記チェックポイントとなる数値を通過した場合のみを検出したり、前記温度が下降することによって前記チェックポイントとなる数値を通過した場合のみを検出したり、前記温度が上昇することによって前記チェックポイントとなる数値を通過した場合および前記温度が下降することによって前記チェックポイントとなる数値を通過した場合を検出したりしてもよい。
【００１１】
また、前記プロジェクタは、前記温度ログデータに基づき、画像および音の少なくとも一方を用いて前記温度に関する温度ログ情報をユーザーに提示する提示部を含んでもよい。
【００１２】
これによれば、プロジェクタ等は、温度ログ情報をユーザーに提示することができる。
【００１３】
また、前記提示部は、
前記温度ログ情報に関する画像を生成する画像生成部と、
当該画像を投写する投写部と、
を含み、
前記画像生成部は、前記温度ログデータに基づき、詳細ログ画像を生成し、
前記投写部は、前記詳細ログ画像を投写してもよい。
【００１４】
これによれば、プロジェクタ等は、温度ログ情報を画像でユーザーに示すことができる。
【００１５】
また、前記プロジェクタは、異常発生時に、異常の種類に関するデータと、異常発生時点に関するデータとを関連付けて異常ログデータとして前記記憶部に記憶する異常監視部を含んでもよい。
【００１６】
これによれば、プロジェクタ等は、異常発生時に異常ログデータを記憶することにより、異常の履歴を管理することができる。
【００１７】
また、前記画像生成部は、前記異常ログデータに基づき、前記詳細ログ画像として、前記異常の種類と、前記異常発生時点とを時系列で示す画像を生成してもよい。
【００１８】
これによれば、プロジェクタ等は、異常の種類と異常発生時点を時系列で示すことにより、業者等は、異常の原因を特定しやすい。
【００１９】
また、前記画像生成部は、ユーザーの前記異常の種類を指定する操作情報に基づき、前記詳細ログ画像として、指定された種類に該当するデータのみを示す画像を生成してもよい。
【００２０】
これによれば、業者等は、異常の種類を絞り込んで確認することができ、表示領域が小さい場合であっても目的とする異常の内容を確認しやすい。
【００２１】
また、前記プロジェクタは、異なる測定対象の温度を測定する複数の前記温度センサーを含み、
前記温度監視部は、少なくとも１つの前記温度センサーの前記温度が前記チェックポイントとなる数値を通過した場合に、通過した数値に関するデータと、通過時点に関するデータと、各温度センサーの前記温度に関するデータとを関連付けて前記温度ログデータとして記憶部に記憶してもよい。
【００２２】
これによれば、プロジェクタ等は、１つの温度センサーの温度がチェックポイントを通過した場合に他の温度センサーの温度も記憶することにより、業者等は、温度に異常があった場合の原因を特定しやすい。
【００２３】
また、前記プロジェクタは、前記測定対象を冷却する複数のファンを含み、
前記温度監視部は、少なくとも１つの前記温度センサーの前記温度が前記チェックポイントとなる数値を通過した場合に、通過した数値に関するデータと、通過時点に関するデータと、各温度センサーの前記温度に関するデータと、各ファンの駆動に関するデータとを関連付けて前記温度ログデータとして記憶部に記憶してもよい。
【００２４】
これによれば、プロジェクタ等は、１つの温度センサーの温度がチェックポイントを通過した場合にファンの駆動情報も記憶することにより、業者等は、温度に異常があった場合の原因を特定しやすい。
【００２５】
また、前記プロジェクタは、前記温度ログデータを、表示機能を有する外部装置または携帯型情報記憶媒体に出力する出力部を含んでもよい。
【００２６】
これによれば、プロジェクタ等は、異常によって画像を投写できない場合であっても、外部装置によって画像を表示することができる。
【発明を実施するための最良の形態】
【００２７】
以下、本発明をプロジェクタに適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００２８】
（システム全体の説明）
プロジェクタの業者が異常の確認操作を行うことにより、異常の状態等を示すログ画像（詳細ログ画像）が投写される。
【００２９】
図１は、従来のログ画像３００の一例を示す図である。
【００３０】
従来のログ画像３００では、「Fatal Error」として、温度異常を示す「T」の発生件数、ランプ異常を示す「L」の発生件数、その他の内部異常を示す「I」の発生件数が表示されていた。
【００３１】
しかし、業者は、従来のログ画像３００では、直前に発生した異常の原因を特定することが困難であった。
【００３２】
本実施例では、「Fatal Error」の表示に代えて発生した異常の種類や履歴等を示すログ画像を表示している。
【００３３】
図２は、本実施例におけるログ画像３０２の一例を示す図である。
【００３４】
ログ画像３０２では、発生した異常の種類(ＣＤ)、プロジェクタの総稼働時間（ＴＯＴ：時、分、秒）、総稼働時間を投写用のランプが低輝度の状態での稼働時間に換算した時間（ＬＯＴ：時、分、秒）、電源ＯＮ（電源投入）からの経過時間（ＰＯＴ：時、分、秒）、異常が発生した時点のプロジェクタの状態(ＳＴ)等が最新の異常ログから順番に時系列で表示される。
【００３５】
なお、異常の種類としては、例えば、内部高温異常であることを示すＴＨ、ファン異常であることを示すＦＮ、温度センサー異常であることを示すＳＥ、ランプ切れ異常であることを示すＬＥ、ランプ点灯失敗異常であることを示すＬＦ、ＲＡＭにアクセスした際のデータ異常であることを示すＲＡ、ＲＯＭにアクセスした際のデータ異常であることを示すＲＯ、プロジェクタ内部の通信異常であることを示すＩＩ、別のＣＰＵで異常が発生したことを示すＩＤ、ランプの蓋の開放異常であることを示すＬＣ、コンデンサの非接続の異常を示すＥＣ、色の調整フィルタの異常を示すＣＦ、投写光の絞り調整部分の異常を示すＡＩ、サブシステムのＲＯＭの異常を示すＲＳ、サブシステムとの通信時の異常を示すＲＰ等が該当する。
【００３６】
また、プロジェクタの状態としては、例えば、ランプが消灯して必要最小限の部分が動作している状態であることを示す「００」、通常状態であることを示す「０１」、ランプを点灯させるウォームアップ状態であることを示す「０２」、ランプの消灯させるクールダウン状態であることを示す「０３」、スタンバイ状態でネットワークに関する部分が動作している状態であることを示す「０４」、異常発生後のスタンバイ状態であることを示す「０５」等が該当する。
【００３７】
また、ログ画像３０２では、「Error Count」として、異常の種類ごとの発生件数が表示される。さらに、ログ画像３０２では、「Control」として、最新の温度ログも表示される。
【００３８】
また、本実施例のプロジェクタは、少ない記憶容量で温度ログデータを記憶できるように、温度レベルに変化があった場合のみ温度ログデータを記憶する機能を有している。さらに、本実施例のプロジェクタは、リアルタイムクロック（以下、「ＲＴＣ」という。）を有しておらず、総稼働時間等を演算して決定する機能を有している。
【００３９】
次に、このような機能を有するプロジェクタの機能ブロックについて説明する。
【００４０】
図３は、本実施例におけるプロジェクタ１００の機能ブロック図である。
【００４１】
プロジェクタ１００は、ログ画像３０２の表示等を行う提示部１１０と、ユーザーの操作情報を入力する操作部１２０と、種々の制御を行う制御部１３０と、種々のデータを記憶する記憶部１４０と、総稼働時間等を演算する時間演算部１５０と、カウンタ１５２と、温度監視部１６０と、温度通過検出部１６２と、温度センサー１７０と、異常監視部１８０と、電源１９０と、ファン１９２とを含んで構成されている。
【００４２】
また、提示部１１０は、入力音声情報等に基づく音声情報を生成する音声処理部１１１と、音声情報に基づき、音声を出力する音声出力部１１２と、入力画像情報等に基づく画像情報を生成する画像処理部１１３と、画像情報に基づき、画像を投写する投写部１１４とを含んで構成されている。
【００４３】
また、記憶部１４０は、温度監視部１６０によって更新される温度ログデータ１４２、異常監視部１８０によって更新される異常ログデータ１４４、時間演算部１５０によって更新される時間データ１４６等を記憶している。
【００４４】
なお、実際には、ファン１９２および温度センサー１７０は、測定対象（例えば、ランプ、液晶パネル等）ごとに複数設けられる。
【００４５】
また、これらの各部の機能は、例えば、以下のハードウェアを用いてプロジェクタ１００に実装可能である。
【００４６】
例えば、音声処理部１１１としては音声処理回路等、音声出力部１１２としてはスピーカー等、画像処理部１１３としては画像処理回路等、投写部１１４としてはランプ、液晶パネル、投写レンズ等、操作部１２０としては操作ボタン、リモートコントローラからの赤外光を受光する受光ユニット等、制御部１３０、時間演算部１５０、温度監視部１６０、温度通過検出部１６２、異常監視部１８０としてはＣＰＵ等、記憶部１４０としてはＲＡＭ、ＲＯＭ等を用いてもよい。
【００４７】
また、プロジェクタ１００は、画像処理部１１３等の機能を、プログラムを用いて実装してもよい。例えば、プロジェクタ１００は、画像処理部１１３等としてプロジェクタ１００の有するコンピュータを機能させるためのプログラムを情報記憶媒体２００から読み取って画像処理部１１３等の機能を実装してもよい。
【００４８】
このような情報記憶媒体２００としては、例えば、ＣＤ−ＲＯＭ、ＤＶＤ−ＲＯＭ、ＲＯＭ、ＲＡＭ、ＨＤＤ等を適用でき、そのプログラムの読み取り方式は接触方式であっても、非接触方式であってもよい。
【００４９】
（ログに関する処理の流れの説明）
次に、プロジェクタ１００におけるログに関する処理の流れについて説明する。
【００５０】
図４は、本実施例におけるログに関する処理の流れを示すフローチャートである。
【００５１】
プロジェクタ１００は、一定時間ごとに温度監視処理を実行する（ステップＳ１）。
【００５２】
図５は、本実施例における温度監視処理の流れを示すフローチャートである。
【００５３】
より具体的には、制御部１３０は、カウンタ１５２のカウント値を参照して一定時間（例えば、１０秒、３０秒、１分等）ごとに温度センサー１７０に測定対象の温度を測定させる（ステップＳ１１）。
【００５４】
温度通過検出部１６２は、温度センサー１７０の測定値に基づき、温度レベルに変化があったかどうかを判定する（ステップＳ１２）。
【００５５】
より具体的には、温度通過検出部１６２は、温度がチェックポイントとなる少なくとも１つの数値（例えば、４０度、５０度、６０度、７０度等）を通過して上昇または下降したことを検出する。例えば、チェックポイントが４０度で、温度センサー１７０の測定値が３７度から４２度に変化したり、当該測定値が４６度から３９度に変化したりした場合は温度レベルに変化があったことになる。
【００５６】
そして、温度監視部１６０は、温度通過検出部１６２によって温度レベルに変化があったことが検出された場合、通過した数値に関するデータと、温度センサー１７０の温度に関するデータと、ファン１９２の駆動に関するデータと、通過時点に関するデータとを関連付けて温度ログデータ１４２として記憶部１４０に記憶する（ステップＳ１３）。
【００５７】
例えば、測定対象が６つである場合、温度監視部１６０は、通過した温度の数値に対応したレベル（例えば、０３、０４、０５、０６等）、各温度センサー１７０の測定値（Ｔ１〜Ｔ６）、各ファン１９２の駆動電圧値（Ｆ１〜Ｆ６）、電源１９０がＯＮになってからの経過時間を温度ログデータ１４２として記憶部１４０に記憶する。
【００５８】
なお、温度監視部１６０は、制御部１３０からの情報に基づき、各ファン１９２の駆動電圧値を把握し、時間データ１４６に基づき、電源１９０がＯＮになってからの経過時間を把握することができる。経過時間の把握方法については後述する。
【００５９】
プロジェクタ１００は、以上の手順により温度ログデータ１４２を記憶することができる。
【００６０】
また、異常監視部１８０も一定時間ごとに異常が発生したかどうかを判定する（ステップＳ２）。具体的には、異常監視部１８０は、温度監視部１６０、ファン１９２、電源１９０、記憶部１４０等を監視することにより、どのような異常が発生したかを把握する。
【００６１】
なお、異常が発生していない場合、プロジェクタ１００は、温度監視処理（ステップＳ１）、異常発生判定処理（ステップＳ２）を一定時間ごとに繰り返し実行する。
【００６２】
一方、異常が発生した場合、異常監視部１８０は、異常ログの記憶を行う（ステップＳ３）。
【００６３】
図６は、本実施例における異常ログ記憶処理の流れを示すフローチャートである。
【００６４】
まず、異常監視部１８０は、異常の種類を異常ログデータ１４４として記憶部１４０に記憶する（ステップＳ２１）。
【００６５】
そして、異常監視部１８０は、時間データ１４６に基づき、異常ログデータ１４４の当該レコードの総稼働時間、低輝度換算時間、電源ＯＮからの経過時間をそれぞれ更新する（ステップＳ２２、Ｓ２３、Ｓ２４）。
【００６６】
なお、時間演算部１５０は、一定時間ごとに時間データ１４６を更新する。具体的には、例えば、制御部１３０は、電源１９０がＯＮになったことを検出すると、カウンタ１５２を起動し、カウントアップを開始する。時間演算部１５０は、カウンタ１５２のカウント値に基づき、時間データ１４６に含まれる総稼働時間、低輝度換算時間、電源ＯＮからの経過時間を示すデータを更新する。なお、総稼働時間等に関するより詳細な説明は後述する。
【００６７】
また、異常監視部１８０は、異常発生時に異常ログデータ１４４における異常の種類ごとの発生件数（例えば、ログ画像３０２の「Error Count」に相当する値）を更新する。
【００６８】
プロジェクタ１００は、以上の手順により異常ログデータ１４４を記憶することができる。
【００６９】
そして、異常ログデータ１４４の記憶が完了した場合、制御部１３０は、投写部１１４のランプの消灯、ファン１９２の停止等を行ってクーリング処理を実行する（ステップＳ４）。
【００７０】
クーリング処理が完了すると、プロジェクタ１００は、通常状態から異常発生時のスタンバイ状態に遷移する。
【００７１】
そして、制御部１３０は、操作部１２０からの操作情報に基づき、プロジェクタの業者等が異常の確認操作を行ったと判定すると、画像処理部１１３にログ画像３０２等を生成させるように制御命令を出力する。具体的には、例えば、個人ユーザーの使用するプロジェクタ１００で異常が発生した場合、個人ユーザーからの連絡を受けた修理担当者が異常の確認操作を行う。
【００７２】
画像処理部１１３は、制御命令に基づき、温度ログデータ１４２および異常ログデータ１４４に基づき、保守管理用のログ画像３０２等を生成し、投写部１１４は、ログ画像３０２等を投写する。
【００７３】
なお、本実施例では、ログ画像として、ログ画像３００から「Fatal Error」の部分を除いた画像を１ページ目、ログ画像３０２を２ページ目、温度ログ画像を３ページ目として表示するものとする。
【００７４】
図７は、本実施例における温度ログ画像３０４の一例を示す図である。
【００７５】
温度ログ画像３０４は、通過した温度の数値に対応したレベル（例えば、０３、０４、０５、０６等）、各温度センサー１７０の測定値（Ｔ１〜Ｔ６）、各ファン１９２の駆動電圧値（Ｆ１〜Ｆ６）、電源１９０がＯＮになってからの経過時間（ＰＯＴ：時、分、秒）等を示す。なお、温度ログ画像３０４の最下部にある「Control」は最新の温度ログを示す。
【００７６】
例えば、図７に示す例では、最新のものから順番に時系列で８つの温度ログが表示されている。
【００７７】
また、制御部１３０は、操作部１２０からの操作情報に基づき、プロジェクタのユーザーがプロジェクタに関する情報の確認操作を行ったと判定すると、画像処理部１１３に一般ユーザー用のユーザーメニュー画像を生成させるように制御命令を出力する。
【００７８】
画像処理部１１３は、制御命令に基づき、温度ログデータ１４２、異常ログデータ１４４、時間データ１４６に基づき、ユーザーメニュー画像を生成し、投写部１１４は、ユーザーメニュー画像を投写する。
【００７９】
図８は、本実施例におけるユーザーメニュー画像３０６の一例を示す図である。
【００８０】
例えば、一般的なユーザーがメニュー画像で「情報」を選択した場合、ユーザーメニュー画像３０６が投写される。
【００８１】
「情報」では、ランプ点灯時間、入力ソース等のほかにプロジェクタ１００の状態を示すステータスが表示される。ステータスでは、例えば、最新の異常ログにおける低輝度換算の時間、電源１９０がＯＮになってからの経過時間（時、分、秒）、異常の種類が表示される。
【００８２】
図２と図８を比較すればわかるように、保守管理用のログ画像３０２等と、ユーザーメニュー画像３０６は同期している。なお、ログ画像３０２等は業者用の特別な画像であり、ユーザーメニュー画像３０６は一般ユーザー用の画像である。
【００８３】
以上のように、本実施例によれば、プロジェクタ１００は、チェックポイントとなる数値を通過した場合に当該数値に関するデータと、通過時点に関するデータを関連付けて記憶することにより、温度の変化を記憶することができる上、チェックポイントを通過した場合のみ記憶することにより、一定時間ごとに温度ログデータ１４２を記憶する場合と比べ、少ない記憶容量で確実に記憶することができる。これにより、プロジェクタ１００は、少ない記憶容量でより確実に異常の内容を記憶し、提示することが可能となる。
【００８４】
また、本実施例によれば、プロジェクタ１００は、温度ログ情報や異常ログ情報を画像でユーザーに示すことができる。
【００８５】
また、本実施例によれば、異常発生時に異常ログデータ１４４を記憶することにより、異常の履歴を管理することができる。
【００８６】
しかも、本実施例によれば、プロジェクタ１００は、異常ログデータ１４４だけでなく、温度ログデータ１４２を記憶し、温度ログ情報を画像で示すことにより、業者等は、異常が発生する前の温度の変化を把握することができる。これにより、業者等は、エアコンの温度上昇によって異常が発生した場合等の異常の原因を特定しやすくなる。
【００８７】
また、本実施例によれば、ログ画像３０２等を用いて異常の種類と異常発生時点を時系列で示すことにより、業者等は、異常の内容を解析しやすく、異常の原因を特定しやすい。
【００８８】
また、本実施例によれば、プロジェクタ１００は、１つの温度センサーの温度がチェックポイントを通過した場合に他の温度センサーの温度やファンの駆動情報も記憶することにより、温度ログ画像３０４のように、チェックポイント通過時の各温度センサーの温度と各ファンの駆動情報を示すことができる。これにより、業者等は、温度に異常があった場合の原因を特定しやすい。
【００８９】
また、本実施例によれば、プロジェクタ１００は、温度ログデータ１４２、異常ログデータ１４４等に基づいてログ画像３０２等と、ユーザーメニュー画像３０６を投写することにより、業者に見せる画像と、一般ユーザーに見せる画像の内容を連動させることができる。
【００９０】
例えば、プロジェクタ１００は、温度ログデータ１４２等の削除、更新等を行った場合であっても、ユーザーメニュー画像３０６における「ステータス」と、ログ画像３０２における最新の「Error Log」の内容が一致する。これにより、例えば、メーカーが、一般ユーザーから異常の報告を受け、修理担当者がログ画像３０２で異常の内容を確認する場合であっても、ユーザーと修理担当者の確認内容が一致し、修理担当者は修理等を行いやすい。
【００９１】
（日時推定処理の説明）
ここで、時間演算部１５０による異常ログデータ１４４および時間データ１４６を用いた異常発生日時の推定処理について説明する。
【００９２】
例えば、時間データ１４６の一部として１日のプロジェクタ１００の平均使用時間が記憶されているものとする。なお、当該平均使用時間はユーザーが設定するものであってもよいし、時間演算部１５０が演算して求めてもよい。例えば、学校等では時間割が決まっているため、１日のプロジェクタ１００の平均使用時間をユーザーが設定することが可能である。
【００９３】
時間演算部１５０は、（現在の総稼働時間−異常発生時の総稼働時間）を１日の平均使用時間で割ることにより、異常発生日を決定する。具体的には、現在の総稼働時間が２６０時間、異常発生時の総稼働時間が２３２時間４０分５０秒、１日の平均使用時間が８時間である場合、２７時間１９分１０秒／８時間＝約３．４となり、３日前になる。
【００９４】
また、時間データ１４６の一部としてプロジェクタ１００の使用開始時刻が記憶されているものとする。なお、プロジェクタ１００の管理者が毎朝仕事を開始する所定時刻にプロジェクタ１００の電源１９０をオンにしたり、ネットワークを介して制御プログラムによってプロジェクタ１００の電源１９０が所定時刻にオンにされたりするため、使用開始時刻は固定であるものとする。ここでは、使用開始時刻は午前９時であるものとする。
【００９５】
この場合、時間演算部１５０は、プロジェクタ１００の使用開始時刻に異常発生時における電源１９０がＯＮになってからの経過時間を加えることにより、異常発生時刻を決定できる。例えば、異常発生時における電源１９０がＯＮになってからの経過時間が１時間１０分５秒である場合、異常発生時刻は、午前１０時１０分前後となる。
【００９６】
さらに、業者は、ログ画像３０２を用いて異常の履歴を把握したり、温度ログ画像３０４を用いて温度の履歴を把握したりすることができるため、３日前の午前１０時１０分前後に室温が高温になって異常が発生した等の推測を行うことができる。
【００９７】
以上のように、本実施例によれば、プロジェクタ１００は、ＲＴＣを用いずに異常発生日や異常発生時を決定することができるため、より簡易な構成で、ＲＴＣを用いずに異常発生日時を推定することができる。
【００９８】
また、本実施例によれば、プロジェクタ１００は、電源投入時からの経過時間をカウンタ１５２で測定することができ、ＲＴＣを用いずに異常発生時を決定することができるため、より簡易な構成で、ＲＴＣを用いずに異常発生時を推定することができる。
【００９９】
（その他の実施例）
なお、本発明の適用は、上述した実施例には限定されず、種々の変形が可能である。
【０１００】
例えば、画像処理部１１３は、業者等の指定に応じて異常の種類ごとに絞り込んでログ画像３０２を生成してもよい。
【０１０１】
これによれば、業者等は、異常の種類を絞り込んで確認することができ、表示領域が小さい場合であっても目的とする異常の内容を確認しやすい。
【０１０２】
また、プロジェクタ１００は、出力インターフェース部を用いて温度ログデータ１４２、異常ログデータ１４４、時間データ１４６を外部の表示機能を有するＰＣ(Personal Computer)、携帯電話等または携帯型情報記憶媒体に出力し、ログ画像３０２等をＰＣ等に表示させてもよい。これによれば、プロジェクタ１００は、画像を投写できない場合であっても、ＰＣ等によってログ画像３０２等を表示することができる。
【０１０３】
また、この場合、プロジェクタ１００と外部装置の距離は、近距離であってもよいし、遠距離であってもよい。例えば、プロジェクタ１００と、ＰＣとがインターネットを介して接続されている場合、メーカーの担当者がＰＣを用いてプロジェクタ１００の状態を遠隔監視することも可能である。
【０１０４】
また、温度ログデータ１４２、異常ログデータ１４４等を初期化する操作が行われた場合、出力インターフェース部は、異常ログデータ１４４等を携帯型情報記憶媒体にバックアップしてから初期化してもよい。なお、初期化や削除を行うための操作は、例えば、ログ画像３０２や温度ログ画像３０４が表示された状態で、画像が遷移しないキーの組み合わせによる操作であってもよい。
【０１０５】
また、異常監視部１８０は、すべての種類の異常に関するデータを記憶するのではなく、ユーザーや業者によって指定された種類の異常に関するデータのみを異常ログデータ１４４に記憶してもよい。これによれば、プロジェクタ１００は、記憶部１４０の記憶容量が少ない場合であっても、必要なログを記憶することができる。
【０１０６】
また、上述した実施例では、温度に関して通過した数値に関するデータは、レベルであったが、数値であってもよい。また、上述した実施例では、通過時点に関するデータは、電源１９０がＯＮになってからの経過時間であったが、総稼働時間等であってもよい。また、異常発生時点に関するデータも、総稼働時間、低輝度換算時間、電源１９０がＯＮになってからの経過時間のうちのいずれか１つを示すデータであってもよい。
【０１０７】
また、温度センサー１７０やファン１９２は、１つずつであってもよい。
【０１０８】
また、プロジェクタ１００は、液晶プロジェクタには限定されず、例えば、米国テキサス・インスツルメンツ社が開発したＤＭＤ(Digital Micromirror Device)を用いたプロジェクタ等であってもよい。
【図面の簡単な説明】
【０１０９】
【図１】従来のログ画像の一例を示す図である。
【図２】本実施例におけるログ画像の一例を示す図である。
【図３】本実施例におけるプロジェクタの機能ブロック図である。
【図４】本実施例におけるログに関する処理の流れを示すフローチャートである。
【図５】本実施例における温度監視処理の流れを示すフローチャートである。
【図６】本実施例における異常ログ記憶処理の流れを示すフローチャートである。
【図７】本実施例における温度ログ画像の一例を示す図である。
【図８】本実施例におけるユーザーメニュー画像の一例を示す図である。
【符号の説明】
【０１１０】
１００  プロジェクタ、１１０  提示部、１１１  音声処理部、１１２  音声出力部、１１３  画像処理部、１１４  投写部、１２０  操作部、１３０  制御部、１４０  記憶部、１４２  温度ログデータ、１４４  異常ログデータ、１４６  時間データ、１５０  時間演算部、１５２  カウンタ、１６０  温度監視部、１６２  温度通過検出部、１７０  温度センサー、１８０  異常監視部、１９０  電源、１９２  ファン、２００  情報記憶媒体、３００、３０２  ログ画像、３０４  温度ログ画像、３０６  ユーザーメニュー画像
【図１】
2008116810.tif 000003
【図２】
2008116810.tif 000004
【図３】
2008116810.tif 000005
【図４】
2008116810.tif 000006
【図５】
2008116810.tif 000007
【図６】
2008116810.tif 000008
【図７】
2008116810.tif 000009
【図８】
2008116810.tif 000010